(57)【要約】【課題】第一機器本体及び第二機器本体を保護すると共に、電子機器の利便性を向上させる。【解決手段】本実施形態の電子機器１０において、第一機器本体２１及び第二機器本体２２は、開閉可能に連結されている。カバー部材３０は、第一機器本体２１の背面から第二機器本体２２の背面に亘って設けられている。カバー部材３０の一端側３１は、第一機器本体２１に固定されている。サブディスプレイ５０は、第二機器本体２２の背面に設けられている。スライド機構９０は、カバー部材３０の他端側３２を第二機器本体２２に対してスライド可能に支持する。このスライド機構９０は、第一機器本体２１及び第二機器本体２２が閉状態から開状態に遷移することに伴って、サブディスプレイ５０がカバー部材３０の他端側３２に対して露出する状態からカバー部材３０の他端側３２に覆われた状態になるようにする。【選択図】図１１
2018097420.tif 000002
【特許請求の範囲】
【請求項１】
それぞれ平盤状を成し、開閉可能に連結された第一機器本体及び第二機器本体と、
前記第一機器本体の背面から前記第二機器本体の背面に亘って設けられると共に、一端側が前記第一機器本体に固定されたカバー部材と、
前記第二機器本体の背面に設けられたインターフェース部と、
前記第一機器本体及び前記第二機器本体が閉状態から開状態に遷移することに伴って、前記インターフェース部が前記カバー部材の他端側に対して露出する状態から、前記インターフェース部が前記カバー部材の他端側に覆われた状態になるように、前記カバー部材の他端側を前記第二機器本体に対してスライド可能に支持するスライド機構と、
を備える電子機器。
【請求項２】
前記カバー部材の他端側が前記インターフェース部を覆う方向に、前記カバー部材の他端側を前記第二機器本体に対して付勢する付勢部材をさらに備える、
請求項１に記載の電子機器。
【請求項３】
前記カバー部材は、
前記第一機器本体の背面から前記第二機器本体の背面に亘って設けられたカバー本体と、
前記カバー本体における前記第一機器本体の背面を覆う部位に設けられた第一心材と、
前記カバー本体における前記第二機器本体の背面を覆う部位に設けられた第二心材と、
前記カバー本体における前記第一心材と前記第二心材との間に設けられた第三心材とを有し、
前記第三心材は、前記第一心材及び前記第二心材よりも曲げ剛性が低い、
請求項１又は請求項２に記載の電子機器。
【請求項４】
前記カバー部材は、
前記第一機器本体の背面を覆う第一カバー部と、
前記第二機器本体の背面を覆う第二カバー部と、
前記第一カバー部と前記第二カバー部との間に位置する第三カバー部とを有し、
前記第一機器本体及び前記第二機器本体の開閉基端部側には、閉塞部材が設けられ、
前記閉塞部材は、前記第一機器本体及び前記第二機器本体が開閉する間、及び、前記第一機器本体及び前記第二機器本体が閉状態にある間、前記第一機器本体及び前記第二機器本体の開閉基端部と、前記第三カバー部との間に形成される隙間を閉塞する、
請求項１〜請求項３のいずれか一項に記載の電子機器。
【請求項５】
前記第一機器本体の前面から前記第二機器本体の前面に亘って設けられると共に、可撓性を有するシート状のディスプレイをさらに備える、
請求項１〜請求項４のいずれか一項に記載の電子機器。
【請求項６】
前記インターフェース部は、サブディスプレイである、
請求項５に記載の電子機器。
【請求項７】
前記第一機器本体及び前記第二機器本体をブック状に連結するヒンジをさらに備え、
前記ヒンジは、前記第一機器本体及び前記第二機器本体が開状態にある場合に、前記第一機器本体の開閉基端部と前記第二機器本体の開閉基端部とを互いに突き合わせた状態にし、前記第一機器本体及び前記第二機器本体が閉状態にある場合に、前記第一機器本体の開閉基端部と前記第二機器本体の開閉基端部とを互いに離間させた状態にする、
請求項１〜請求項６のいずれか一項に記載の電子機器。
【発明の詳細な説明】
【技術分野】
【０００１】
本願の開示する技術は、開閉可能に連結された第一機器本体及び第二機器本体を備える折り畳み式の電子機器に関する。
【背景技術】
【０００２】
この種の折り畳み式の電子機器としては、例えば、前面にディスプレイが設けられると共に背面にサブディスプレイが設けられた蓋部と、蓋部と連結された本体部とを備えたものがある。
【先行技術文献】
【特許文献】
【０００３】
【特許文献１】特開２００５−２８４３３５号公報
【発明の概要】
【発明が解決しようとする課題】
【０００４】
ここで、電子機器を保護するために、電子機器が開いた状態にて当該電子機器の背面をカバー部材で覆うと、電子機器が閉じた状態にて当該電子機器の背面にカバー部材で覆われない領域ができる。
【０００５】
本願の開示する技術は、一つの側面として、第一機器本体及び第二機器本体を保護すると共に、電子機器の利便性を向上させることを目的とする。
【課題を解決するための手段】
【０００６】
上記目的を達成するために、本願の開示する技術の一観点によれば、第一機器本体と、第二機器本体と、カバー部材と、インターフェース部と、スライド機構とを備えた電子機器が提供される。第一機器本体及び第二機器本体は、それぞれ平盤状を成し、開閉可能に連結されている。カバー部材は、第一機器本体の背面から第二機器本体の背面に亘って設けられている。カバー部材の一端側は、第一機器本体に固定されている。インターフェース部は、第二機器本体の背面に設けられている。スライド機構は、カバー部材の他端側を第二機器本体に対してスライド可能に支持する。このスライド機構は、第一機器本体及び第二機器本体が閉状態から開状態に遷移することに伴って、インターフェース部がカバー部材の他端側に対して露出する状態からカバー部材の他端側に覆われた状態になるようにする。
【発明の効果】
【０００７】
本願の開示する技術によれば、第一機器本体及び第二機器本体を保護すると共に、電子機器の利便性を向上させることができる。
【図面の簡単な説明】
【０００８】
【図１】本実施形態に係る電子機器において第一機器本体及び第二機器本体が閉状態にある正面図である。
【図２】図１に示される電子機器の底面図である。
【図３】図１に示される電子機器において第一機器本体及び第二機器本体が閉状態から開状態に遷移する様子を斜視図にて示す図である。
【図４】図１に示される電子機器において第一機器本体及び第二機器本体が閉状態から開状態に遷移する様子を底面図にて示す図である。
【図５】図１に示される電子機器において第一機器本体及び第二機器本体が開状態にある斜視図である。
【図６】図１に示される電子機器において第一機器本体及び第二機器本体が開状態にある背面図である。
【図７】図１に示される電子機器において第一機器本体及び第二機器本体が開状態にある底面図である。
【図８】図１に示される電子機器において第一機器本体及び第二機器本体が開状態にある斜視図である。
【図９】図１に示される電子機器が使用されている様子を示す斜視図である。
【図１０】図１に示される電子機器が使用されている別の様子を示す斜視図である。
【図１１】図１に示される電子機器においてカバー部材を想像線で示すと共にその他を実線で示す背面図である。
【図１２】図１に示される電子機器において第一機器本体及び第二機器本体を開閉可能に連結するヒンジの斜視図である。
【図１３】図１２に示されるヒンジの分解斜視図である。
【図１４】図１２に示されるヒンジを矢印Ｌ方向から見た図であってヒンジが開状態にある図である。
【図１５】図１４に示されるヒンジが開状態と閉状態との中間状態にある図である。
【図１６】図１４に示されるヒンジが閉状態にある図である。
【図１７】図１に示される電子機器に備えられたカバー部材の背面図であって、カバー本体を想像線で示し、第一心材、第二心材、及び、第三心材を実線で示す図である。
【図１８】図１に示される電子機器における第一機器本体及び第二機器本体の開閉基端部側の拡大斜視図である。
【発明を実施するための形態】
【０００９】
以下、図面を参照しながら、本願の開示する技術の一実施形態を説明する。
【００１０】
図１に示されるように、本実施形態に係る電子機器１０は、機器本体２０と、カバー部材３０とを備える。この電子機器１０は、一例として、ブック型となっている。図１を含む各図に示される矢印Ｌ方向、矢印Ｗ方向、矢印Ｔ方向は、互いに直交しており、それぞれ電子機器１０の縦方向、幅方向、厚さ方向に相当する。
【００１１】
（第一機器本体及び第二機器本体）
図２に示されるように、機器本体２０は、第一機器本体２１と、第二機器本体２２とを有する。第一機器本体２１及び第二機器本体２２は、それぞれ平盤状を成している。この第一機器本体２１及び第二機器本体２２は、それぞれ矢印Ｔ方向から見た平面視にて矩形状を成している（図５等も参照）。この第一機器本体２１及び第二機器本体２２を平面視した場合の矩形状は、より具体的には、矢印Ｌ方向を長手方向とし矢印Ｗ方向を短手方向とする長方形状である。
【００１２】
第一機器本体２１及び第二機器本体２２は、矢印Ｗ方向の一方側において後述するヒンジによって開閉可能に連結されている。図２に示されるように閉状態にある第一機器本体２１及び第二機器本体２２の矢印Ｗ方向の一方側の端部は、第一機器本体２１及び第二機器本体２２が開閉する際の支点側となる端部である。以降、この端部を、開閉基端部２３と称する。第一機器本体２１及び第二器本体が後述するヒンジによって互いに連結されることにより、第一機器本体２１及び第二機器本体２２は、一例として、本又は手帳を模した構成となっている。
【００１３】
このように本又は手帳を模した構成である第一機器本体２１及び第二機器本体２２の各々は、矢印Ｔ方向の両側に前面２５と背面２６とをそれぞれ有している。第一機器本体２１及び第二機器本体２２は、互いの前面２５が向かい合う状態で閉状態とされると共に、互いの前面２５が同じ側を向く状態で開状態とされる。
【００１４】
図１、図２には、第一機器本体２１及び第二機器本体２２の閉状態が示されており、図３、図４には、第一機器本体２１及び第二機器本体２２が閉状態から開状態に遷移する様子が示されている。また、図５〜図８には、第一機器本体２１及び第二機器本体２２の開状態が示されている。
【００１５】
さらに、図９、図１０には、第一機器本体２１及び第二機器本体２２を開状態としてユーザが電子機器１０を手で持って使用している様子の一例が示されている。このように、第一機器本体２１及び第二機器本体２２は、開状態と閉状態とを取り得るように開閉可能となっており、ユーザは、電子機器１０を本又は手帳のように扱うことが可能となっている。
【００１６】
図７に示されるように、第一機器本体２１及び第二機器本体２２の各々には、前面２５と背面２６とを繋ぐ四つの側面２７が形成されている。この四つの側面２７には、本又は手帳のページの重なりを模した複数の凹凸２８が形成されている（図８も参照）。この複数の凹凸２８は、各側面２７の長手方向にそれぞれ延びると共に、各側面２７の短手方向に並んでいる。
【００１７】
第一機器本体２１及び第二機器本体２２の各々は、より具体的には、筐体と、この筐体の内部に収容された内部ユニット等を備える。内部ユニットには、例えば、バッテリや制御回路等の電子機器１０の駆動に必要な要素が含まれる。第一機器本体２１の内部ユニットと第二機器本体２２の内部ユニットとは、例えば、ケーブルや信号線等によって接続されている。
【００１８】
（ディスプレイ及びサブディスプレイ）
図５に示されるように、電子機器１０は、ディスプレイ４０を備える。このディスプレイ４０は、シート状であり、可撓性を有している。このシート状のディスプレイ４０には、例えば、有機ＥＬ（Electroluminescence）ディスプレイが適用される。ディスプレイ４０は、第一機器本体２１及び第二機器本体２２の内部ユニットによって駆動される。
【００１９】
ディスプレイ４０は、第一機器本体２１の前面２５から第二機器本体２２の前面２５に亘って設けられている。ディスプレイ４０は、矢印Ｔ方向から見た平面視にて矩形状を成している。このディスプレイ４０を平面視した場合の矩形状は、より具体的には、矢印Ｌ方向を短手方向とし矢印Ｗ方向を長手方向とする長方形状である。
【００２０】
このディスプレイ４０は、開状態にある第一機器本体２１及び第二機器本体２２の二つの前面２５を合せた横長の長方形と略同じ形状か又はその長方形よりも少し小さい相似形状を成している。ディスプレイ４０の矢印Ｗ方向の一端側は、第一機器本体２１の前面２５に固定されており、ディスプレイ４０の矢印Ｗ方向の他端側は、第二機器本体２２の前面２５に固定されている。
【００２１】
第一機器本体２１及び第二機器本体２２が開状態にある場合には、ディスプレイ４０が平面状に展開され、第一機器本体２１及び第二機器本体２２の各々の前面２５は、ディスプレイ４０に覆われる（図７、図８も参照）。これに対し、図２に示されるように、第一機器本体２１及び第二機器本体２２が閉状態にある場合には、ディスプレイ４０が二つ折りに折り畳まれる。ディスプレイ４０は、言わば電子機器１０におけるメインディスプレイである。
【００２２】
一方、図２に示されるように、第二機器本体２２の背面２６には、サブディスプレイ５０が設けられている（図１も参照）。このサブディスプレイ５０は、「インターフェース部」の一例である。サブディスプレイ５０は、矢印Ｌ方向を長手方向とし、矢印Ｗ方向を短手方向とする概略長方形状とされている。サブディスプレイ５０は、第二機器本体２２の開閉基端部２３と反対側の端部に隣接している。第一機器本体２１及び第二機器本体２２の開閉基端部２３と反対側の端部を、以降、開閉先端部２４と称する。サブディスプレイ５０は、第二機器本体２２の開閉先端部２４側に配置されると共に、この開閉先端部２４に沿って設けられている。
【００２３】
（ヒンジ）
図１１は、図１に示される電子機器１０においてカバー部材３０を想像線で示すと共にその他を実線で示す背面図である。図１１に示されるように、電子機器１０は、第一機器本体２１及び第二機器本体２２を開閉可能に連結する一対のヒンジ６０を備える。一対のヒンジ６０は、矢印Ｌ方向に離間して配置されている。この一対のヒンジ６０は、互いに同一の構成である。
【００２４】
図１２、図１３に示されるように、ヒンジ６０は、一対のアーム部材６１、一対のベース部材６２、及び、一対のピン６３を有する。一対のアーム部材６１、一対のベース部材６２、及び、一対のピン６３は、それぞれ互いに同一の構成である。
【００２５】
図１３に示されるように、一対のアーム部材６１は、それぞれ長尺板状に形成されている。各アーム部材６１の長手方向の一端側は、回動基端部６４であり、各アーム部材６１の長手方向の他端側は、回動先端部６５である。各アーム部材６１の回動基端部６４側には、溝６６と、突起６７が形成されている。溝６６は、アーム部材６１の板厚方向に見た場合に円弧状を成すと共に、アーム部材６１の板厚方向に貫通している。突起６７は、アーム部材６１の板厚方向を高さ方向とする円柱状に形成されている。この突起６７は、アーム部材６１の板厚方向一方側に突出している。
【００２６】
一対のベース部材６２は、それぞれブロック状に形成されており、互いに対向して配置される。一対のベース部材６２は、互いに対向する面６８を有しており、一対のベース部材６２には、互いに対向する面６８に開口する溝６９が形成されている。溝６９は、一対のベース部材６２が対向する方向に見た場合に円弧状を成している。一対のベース部材６２には、一対の孔７０、７１が形成されている。一対の孔７０、７１は、溝６９の両側に位置しており、一対のベース部材６２が対向する方向に貫通している。
【００２７】
そして、上述のヒンジ６０は、次の要領にて組み立てられている。すなわち、一対のベース部材６２の間には、一対のアーム部材６１の回動基端部６４が配置される。この一対のアーム部材６１の回動基端部６４は、互いに摺動可能に重ね合わされる。また、一対のアーム部材６１は、それぞれの突起６７が互いに反対側に突出するように配置され、それぞれの突起６７は、各ベース部材６２の溝６９に挿入される。また、一対のピン６３は、一対のベース部材６２を挟んだ両側から、孔７０、溝６６、孔７１に順に挿入される。
【００２８】
図１４〜図１６には、このようにして組み立てられたヒンジ６０が動作する様子が示されている。図１４では、ヒンジ６０が開状態にあり、図１５では、ヒンジ６０が開状態と閉状態との中間状態にあり、図１６では、ヒンジ６０が閉状態にある。このヒンジ６０では、図１３に示される突起６７が溝６９を移動すると共に、ピン６３が溝６６を移動することで、一対のアーム部材６１の回動軌跡が規定される。
【００２９】
図１１に示されるように、一対のアーム部材６１は、第一機器本体２１及び第二機器本体２２にそれぞれ固定される。一対のアーム部材６１が第一機器本体２１及び第二機器本体２２にそれぞれ固定されることにより、上述のヒンジ６０は、第一機器本体２１及び第二機器本体２２をブック状に連結している。
【００３０】
図１４に示されるヒンジ６０の開状態、及び、図１６に示されるヒンジ６０の閉状態は、上述の第一機器本体２１及び第二機器本体２２の開状態（図７参照）及び閉状態（図２参照）にそれぞれ対応する。図１３に示される溝６６、６９の形状は、上述の第一機器本体２１及び第二機器本体２２が開状態と閉状態とを取り得るように適宜設定される。
【００３１】
図２に示されるように、第一機器本体２１及び第二機器本体２２が閉状態にある場合には、第一機器本体２１の開閉基端部２３と第二機器本体２２の開閉基端部２３とが矢印Ｔ方向に互いに離間した状態になる。一方、図７に示されるように、第一機器本体２１及び第二機器本体２２が開状態にある場合には、第一機器本体２１の開閉基端部２３と第二機器本体２２の開閉基端部２３とが矢印Ｗ方向に互いに突き合わされた状態になる。
【００３２】
第一機器本体２１の開閉基端部２３と第二機器本体２２の開閉基端部２３とが矢印Ｗ方向に互いに突き合わされた状態では、それぞれの開閉基端部２３が互いに当接し、第一機器本体２１及び第二機器本体２２の開動作が規制される。そして、第一機器本体２１の開閉基端部２３と第二機器本体２２の開閉基端部２３とが矢印Ｗ方向に互いに突き合わされた状態では、第一機器本体２１と第二機器本体２２とが矢印Ｗ方向に平面状に並んだ状態となる。
【００３３】
上述のヒンジ６０（図１３参照）は、第一機器本体２１及び第二機器本体２２の開閉基端部２３が矢印Ｔ方向に互いに離間した状態及び互いに突き合わされた状態の両方の状態を取り得るように構成されている。開閉基端部２３が矢印Ｔ方向に互いに離間した状態及び互いに突き合わされた状態の両方の状態を取り得るようにする構成は、図１３に示されるヒンジ６０における溝６６、６９の形状や突起６７及びピン６３の配置が適宜設定されることにより実現される。
【００３４】
図２に示されるように、第一機器本体２１及び第二機器本体２２が閉状態にある場合には、第一機器本体２１及び第二機器本体２２の開閉基端部２３が矢印Ｔ方向に互いに離間した状態になり、第一機器本体２１と第二機器本体２２との間には隙間８０が生ずる。この隙間８０には、二つ折りに折り畳まれたディスプレイ４０が収容される。
【００３５】
また、第一機器本体２１及び第二機器本体２２が閉状態にある場合には、第一機器本体２１及び第二機器本体２２の開閉先端部２４が矢印Ｔ方向に互いに当接した状態になる。このため、第一機器本体２１と第二機器本体２２との間の隙間８０は、開閉先端部２４から開閉基端部２３に向かうに従って矢印Ｔ方向に拡大する。
【００３６】
第一機器本体２１及び第二機器本体２２が閉状態とされ、ディスプレイ４０が二つ折りに折り畳まれる場合には、ディスプレイ４０の曲げ部４１の曲率が確保されるように、隙間８０における開閉基端部２３側の大きさが確保される。隙間８０における開閉基端部２３側の大きさが確保されることにより、第一機器本体２１及び第二機器本体２２によって曲げ部４１が潰されることが抑制され、曲げ部４１が鋭角に屈曲せずに湾曲した状態となる。
【００３７】
（スライド機構及び付勢部材）
図１１に示されるように、第二機器本体２２の背面２６には、スライド機構９０及び一対の付勢部材１００が設けられている。このスライド機構９０及び一対の付勢部材１００は、矢印Ｗ方向における第二機器本体２２の開閉基端部２３とサブディスプレイ５０との間に配置されている。
【００３８】
スライド機構９０は、一対の案内溝９１と、一対のスライダ９２と、スライド板９３とを有する。一対の案内溝９１は、それぞれ矢印Ｗ方向に延びると共に、矢印Ｌ方向に並んでいる。この一対の案内溝９１は、それぞれ第二機器本体２２の背面２６に開口している。一対のスライダ９２は、一対の案内溝９１にそれぞれ収容されており、矢印Ｗ方向に移動可能となっている。スライド板９３は、矢印Ｌ方向を長手方向とする長方形状であり、一対のスライダ９２を連結している。一対のスライダ９２及びスライド板９３は、矢印Ｗ方向に一体にスライドする。
【００３９】
一対の案内溝９１の間には、一対の収容溝１０１が形成されている。この一対の収容溝１０１は、一対の案内溝９１と同様に、それぞれ矢印Ｗ方向に延びると共に、矢印Ｌ方向に並んでいる。この一対の収容溝１０１には、一対の付勢部材１００がそれぞれ収容されている。
【００４０】
一対の付勢部材１００は、一例として、それぞれ矢印Ｗ方向を軸方向とするコイルバネである。この一対の付勢部材１００は、スライド板９３を第二機器本体２２の開閉先端部２４側に付勢する。図１１に示されるようにスライド板９３がサブディスプレイ５０側の移動限に位置している場合には、一対の付勢部材１００が自由状態又は僅かに圧縮した状態になるように、一対の付勢部材１００の軸長は設定されている。
【００４１】
（カバー部材）
図２に示されるように、カバー部材３０は、第一機器本体２１の背面２６から第二機器本体２２の背面２６に亘って設けられている。カバー部材３０は、矢印Ｔ方向から見た平面視にて矩形状を成している（図６参照）。このカバー部材３０を平面視した場合の矩形状は、より具体的には、矢印Ｌ方向を短手方向とし矢印Ｗ方向を長手方向とする長方形状である。
【００４２】
図１１に示されるように、カバー部材３０は、開状態にある第一機器本体２１及び第二機器本体２２の二つの背面２６を合せた形状と略同様の大きさ及び形状を有している。カバー部材３０の矢印Ｗ方向の一端側３１は、第一機器本体２１の背面２６に固定されている。
【００４３】
一方、カバー部材３０の矢印Ｗ方向の他端側３２は、第二機器本体２２の背面２６に設けられた上述のスライド板９３に対して固定されている。そして、カバー部材３０の他端側３２は、スライド板９３を有するスライド機構９０によって、第二機器本体２２に対して矢印Ｗ方向にスライド可能に支持されている。スライド機構９０及び一対の付勢部材１００は、カバー部材３０によって覆われている。
【００４４】
図１１に示されるように、第一機器本体２１及び第二機器本体２２が開状態にある場合には、カバー部材３０によって、第一機器本体２１及び第二機器本体２２の背面２６の全体が覆われる（図６も参照）。一方、図２に示されるように、第一機器本体２１及び第二機器本体２２が閉状態にある場合には、カバー部材３０によって、第一機器本体２１及び第二機器本体２２の背面２６のうちサブディスプレイ５０を除く残余部が覆われる（図１も参照）。
【００４５】
このように、本実施形態の電子機器１０では、第一機器本体２１及び第二機器本体２２が開状態にある場合と閉状態にある場合とでカバー部材３０によって覆われる領域が異なる。このようにカバー部材３０によって覆われる領域が異なるのは、第一機器本体２１及び第二機器本体２２が開閉する際に開閉基端部２３の前面２５側と背面２６側とで内周差が生じるからである。
【００４６】
つまり、第一機器本体２１及び第二機器本体２２が開状態にある場合と閉状態にある場合とでは、第一機器本体２１及び第二機器本体２２の開閉基端部２３側に位置する背面エッジ部２６Ａ（図２、図７参照）の間の距離が変化する。そして、第一機器本体２１及び第二機器本体２２の背面エッジ部２６Ａの間の距離が変化すると、これに伴って、カバー部材３０の他端側３２が第二機器本体２２の背面２６に沿って矢印Ｗ方向に移動する。
【００４７】
このカバー部材３０は、図１１に示されるスライド機構９０及び一対の付勢部材１００との関係では、次のように構成されている。すなわち、第一機器本体２１及び第二機器本体２２が閉状態から開状態に遷移する場合（図３、図４参照）には、カバー部材３０の他端側３２がスライド板９３のスライドを伴って第二機器本体２２の開閉先端部２４側に移動する。そして、第二機器本体２２の背面２６の開閉先端部２４側に設けられたサブディスプレイ５０は、カバー部材３０の他端側３２に対して露出する状態からカバー部材３０の他端側３２に覆われた状態になる。
【００４８】
また、第一機器本体２１及び第二機器本体２２が閉状態から開状態に遷移する場合には、一対の付勢部材１００によって、カバー部材３０の他端側３２が、第二機器本体２２の開閉先端部２４側、すなわち、サブディスプレイ５０を覆う方向に付勢される。そして、カバー部材３０の他端側３２と共にスライド板９３が第二機器本体２２の開閉先端部２４側に移動し、一対の付勢部材１００が復元される。
【００４９】
一方、第一機器本体２１及び第二機器本体２２が開状態から閉状態に遷移する場合には、カバー部材３０の他端側３２と共にスライド板９３が第二機器本体２２の開閉基端部２３側に移動する。また、第二機器本体２２の開閉基端部２３側へのスライド板９３の移動に伴って、一対の付勢部材１００が圧縮される。
【００５０】
また、カバー部材３０自体は、より具体的には、次のような構成になっている。図１７は、カバー部材３０の背面図である。図１７に示されるように、カバー部材３０は、カバー本体３３、第一心材３４、第二心材３５、及び、第三心材３６を有する。図１７では、カバー部材３０に設けられたカバー本体３３が想像線で示されると共に、カバー部材３０に設けられた第一心材３４、第二心材３５、及び、第三心材３６が実線で示されている。
【００５１】
図１１に示されるように、カバー本体３３は、第一機器本体２１の背面２６から第二機器本体２２の背面２６に亘って設けられる（図６も参照）。このカバー本体３３は、カバー部材３０の表皮を形成するものであり、ブックカバーを模した態様、例えば、合成皮革、天然皮革、ビニール等により形成される。
【００５２】
図１７に示される第一心材３４、第二心材３５、及び、第三心材３６は、シート状又は板状に形成される。第一心材３４は、カバー本体３３における第一機器本体２１（図１１参照）の背面２６を覆う部位に設けられており、第二心材３５は、カバー本体３３における第二機器本体２２（図１１参照）の背面２６を覆う部位に設けられている。また、第三心材３６は、カバー本体３３における第一心材３４と第二心材３５との間に設けられている。
【００５３】
第三心材３６は、第一心材３４及び第二心材３５よりも薄く形成されるか又は軟らかい材料によって形成される等により、第一心材３４及び第二心材３５よりも曲げ剛性が低く設定されている。つまり、第一心材３４及び第二心材３５は硬く、第三心材３６は第一心材３４及び第二心材３５よりも柔らかくなっている。
【００５４】
上述のカバー部材３０は、領域別には、第一カバー部３７、第二カバー部３８、及び、第三カバー部３９を有する。第一カバー部３７は、第一心材３４が設けられた部位、すなわち、図１１に示される第一機器本体２１の背面２６を覆う部位であり、第二カバー部３８は、第二心材３５が設けられた部位、すなわち、図１１に示される第二機器本体２２の背面２６を覆う部位である。また、第三カバー部３９は、第三心材３６が設けられた部位、すなわち、第一カバー部３７と第二カバー部３８との間に位置する部位である。
【００５５】
なお、図１１に示されるように、第一機器本体２１の背面２６には、カメラ１３０が設けられており、カバー部材３０には、カメラ１３０と対応する位置に孔１３１が形成されている（図６も参照）。カメラ１３０の前面部は、孔１３１を通じて外部に露出している。
【００５６】
（閉塞部材）
図１８は、第一機器本体２１及び第二機器本体２２の開閉基端部２３側の拡大斜視図である。図１８に示されるように、第一機器本体２１及び第二機器本体２２の開閉基端部２３側には、閉塞部材１１０が設けられている。閉塞部材１１０は、第一機器本体２１及び第二機器本体２２の開閉基端部２３における矢印Ｌ方向の両端側にそれぞれ設けられている（図１１参照）。この一対の閉塞部材１１０は、互いに同一の構成である。
【００５７】
閉塞部材１１０は、矢印Ｌ方向を板厚方向とする板状に形成されている。また、閉塞部材１１０は、矢印Ｌ方向に見た場合に半円状を成している。この閉塞部材１１０の外周部には、円弧部１１１が形成されている。閉塞部材１１０は、閉状態にある第一機器本体２１及び第二機器本体２２の開閉基端部２３に対して第三カバー部３９側に突出するように配置されている。閉塞部材１１０の円弧部１１１は、カバー部材３０に形成された第三カバー部３９に向けて凸を成している。
【００５８】
この閉塞部材１１０は、上述の第一機器本体２１、第二機器本体２２、及び、カバー部材３０との関係では、次のように構成されている。すなわち、閉塞部材１１０は、第一機器本体２１及び第二機器本体２２が開閉する間（図４参照）、第一機器本体２１及び第二機器本体２２の開閉基端部２３と第三カバー部３９との間に形成される隙間１２０を閉塞する。また、閉塞部材１１０は、第一機器本体２１及び第二機器本体２２が閉状態にある間（図１８参照）、隙間１２０を閉塞する。さらに、閉塞部材１１０が隙間１２０を閉塞するときには、円弧部１１１が第三カバー部３９の内面と密着する。
【００５９】
図１１に示されるように、第一機器本体２１及び第二機器本体２２の開閉基端部２３には、一対の閉塞部材１１０と対応する位置にそれぞれ収容溝２９が形成されている。第一機器本体２１及び第二機器本体２２が開状態にある場合に、一対の閉塞部材１１０は、収容溝２９にそれぞれ収容される。また、閉塞部材１１０は、カバー部材３０の矢印Ｌ方向の端部よりも内側に配置されている。
【００６０】
次に、本実施形態の電子機器１０の動作について説明する。
【００６１】
（閉状態）
図２に示されるように、第一機器本体２１及び第二機器本体２２が閉状態にある場合（図１も参照）には、第一機器本体２１及び第二機器本体２２の互いの前面２５が矢印Ｔ方向に向かい合う状態となる。このとき、ディスプレイ４０は、二つ折りに折り畳まれた状態となる。
【００６２】
また、第一機器本体２１及び第二機器本体２２が閉状態にある場合には、第一機器本体２１及び第二機器本体２２の開閉先端部２４が矢印Ｔ方向に互いに当接した状態になる。一方、第一機器本体２１及び第二機器本体２２の開閉基端部２３は、矢印Ｔ方向に互いに離間した状態になり、第一機器本体２１と第二機器本体２２との間には隙間８０が生ずる。この隙間８０には、二つ折りに折り畳まれたディスプレイ４０が収容される。
【００６３】
この第一機器本体２１と第二機器本体２２との間の隙間８０は、開閉先端部２４から開閉基端部２３に向かうに従って矢印Ｔ方向に拡大する。このため、二つ折りに折り畳まれたディスプレイ４０の曲げ部４１が第一機器本体２１及び第二機器本体２２によって潰されることが抑制される。この結果、曲げ部４１は、鋭角に屈曲せずに湾曲した状態となり、曲げ部４１への局所的な応力集中が抑制される。
【００６４】
また、第一機器本体２１及び第二機器本体２２が閉状態にある場合には、カバー部材３０の他端側３２が第二機器本体２２の開閉基端部２３側に移動した状態となる。そして、サブディスプレイ５０は、カバー部材３０の他端側３２に対して露出される。一方、第一機器本体２１及び第二機器本体２２の背面２６のうちサブディスプレイ５０を除く残余部は、カバー部材３０によって覆われる。
【００６５】
また、カバー部材３０の他端側３２が第二機器本体２２の開閉基端部２３側に移動することにより、図１１に示されるスライド板９３も第二機器本体２２の開閉基端部２３側に移動する。そして、これにより、一対の付勢部材１００が圧縮された状態になる。
【００６６】
さらに、図１８に示されるように、第一機器本体２１及び第二機器本体２２の開閉基端部２３と、第三カバー部３９との間に形成された隙間１２０は、閉塞部材１１０によって閉塞される。このとき、閉塞部材１１０の外周部に形成された円弧部１１１は、第三カバー部３９の内面と密着し、隙間１２０への異物の侵入が防止される。
【００６７】
（閉状態から開状態への遷移）
図３、図４に示されるように、第一機器本体２１及び第二機器本体２２が閉状態から開状態に遷移する場合には、第一機器本体２１及び第二機器本体２２の開動作に伴って、折り畳まれた状態のディスプレイ４０が徐々に展開される。
【００６８】
また、第一機器本体２１及び第二機器本体２２が閉状態から開状態に遷移する場合には、カバー部材３０の他端側３２がスライド板９３（図１１参照）のスライドを伴って第二機器本体２２の開閉先端部２４側に移動する。そして、サブディスプレイ５０がカバー部材３０の他端側３２に対して露出する状態からカバー部材３０の他端側３２に覆われた状態に徐々に遷移する。
【００６９】
また、第一機器本体２１及び第二機器本体２２が閉状態から開状態に遷移する場合には、一対の付勢部材１００（図１１参照）によってカバー部材３０の他端側３２がサブディスプレイ５０を覆う方向、すなわち第二機器本体２２の開閉先端部２４側に付勢される。そして、図１１に示されるように、カバー部材３０の他端側３２と共にスライド板９３が第二機器本体２２の開閉先端部２４側に移動し、一対の付勢部材１００が徐々に復元される。第一機器本体２１及び第二機器本体２２が閉状態から開状態に遷移する場合には、一対の付勢部材１００の復元力がユーザの開操作に対するアシスト力となって作用する。
【００７０】
また、第一機器本体２１及び第二機器本体２２が閉状態から開状態に遷移する間、図４に示される閉塞部材１１０は、第一機器本体２１及び第二機器本体２２の開閉基端部２３と第三カバー部３９との間に形成される隙間１２０を閉塞する。このとき、図１８に示されるように、閉塞部材１１０の外周部に形成された円弧部１１１は、第三カバー部３９の内面と密着し、隙間１２０への異物の侵入が防止される。
【００７１】
（開状態）
図５〜図８に示されるように、第一機器本体２１及び第二機器本体２２が開状態にある場合には、第一機器本体２１及び第二機器本体２２の互いの前面２５が矢印Ｔ方向の同じ側を向いた状態となる。このとき、第一機器本体２１の開閉基端部２３と第二機器本体２２の開閉基端部２３とが矢印Ｗ方向に互いに突き合わされた状態になり、第一機器本体２１と第二機器本体２２とが矢印Ｗ方向に平面状に並んだ状態となる。そして、ディスプレイ４０は、平面状に展開され、第一機器本体２１及び第二機器本体２２の各々の前面２５がディスプレイ４０によって覆われる。
【００７２】
また、第一機器本体２１及び第二機器本体２２が開状態にある場合には、カバー部材３０の他端側３２が第二機器本体２２の開閉先端部２４側に移動した状態となる。そして、図６に示されるように、サブディスプレイ５０は、カバー部材３０の他端側３２によって覆われる。このときには、カバー部材３０によって、第一機器本体２１及び第二機器本体２２の背面２６（図１１参照）の全体が覆われる。
【００７３】
また、このときには、図１１に示されるように、一対の閉塞部材１１０は、第一機器本体２１及び第二機器本体２２の開閉基端部２３に形成された収容溝２９にそれぞれ収容される。さらに、カバー部材３０の他端側３２が第二機器本体２２の開閉先端部２４側に移動することにより、スライド板９３も第二機器本体２２の開閉先端部２４側に移動する。そして、これにより、一対の付勢部材１００が復元された状態になる。
【００７４】
なお、図９に示されるように、電子機器１０は、第一機器本体２１と第二機器本体２２とが矢印Ｗ方向に平面状に並ぶようにして開状態とされる以外に、次のように使用されても良い。すなわち、図１０に示されるように、電子機器１０は、第一機器本体２１と第二機器本体２２とが屈曲した状態となるようにして使用されても良い。
【００７５】
（開状態から閉状態への遷移）
図３、図４に示される順序とは逆に、第一機器本体２１及び第二機器本体２２が開状態から閉状態に遷移する場合には、第一機器本体２１及び第二機器本体２２の閉動作に伴って、展開した状態のディスプレイ４０が徐々に折り畳まれる。
【００７６】
また、第一機器本体２１及び第二機器本体２２が開状態から閉状態に遷移する場合には、カバー部材３０の他端側３２がスライド板９３（図１１参照）のスライドを伴って第二機器本体２２の開閉基端部２３側に移動する。そして、第二機器本体２２の背面２６の開閉先端部２４側に設けられたサブディスプレイ５０がカバー部材３０の他端側３２に覆われた状態からカバー部材３０の他端側３２に対して露出する状態に徐々に遷移する。
【００７７】
また、第一機器本体２１及び第二機器本体２２が開状態から閉状態に遷移する場合には、カバー部材３０の他端側３２と共にスライド板９３（図１１参照）が第二機器本体２２の開閉基端部２３側に移動する。そして、図１１に示されるスライド板９３が第二機器本体２２の開閉基端部２３側へ移動することに伴って、一対の付勢部材１００が徐々に圧縮される。この一対の付勢部材１００の圧縮時の弾性力は、閉操作するユーザに抵抗力となって作用する。
【００７８】
さらに、第一機器本体２１及び第二機器本体２２が開状態から閉状態に遷移する間、図４に示される閉塞部材１１０は、第一機器本体２１及び第二機器本体２２の開閉基端部２３と第三カバー部３９との間に形成される隙間１２０を閉塞する。このとき、閉塞部材１１０の外周部に形成された円弧部１１１は、第三カバー部３９の内面と密着し、隙間１２０への異物の侵入が防止される。
【００７９】
次に、本実施形態の作用及び効果について説明する。
【００８０】
（１）本実施形態によれば、それぞれ平盤状を成す第一機器本体２１及び第二機器本体２２は、ヒンジ６０によってブック状に連結されている。したがって、例えば、図９、図１０に示されるように、電子機器１０を本や手帳等のように扱うことができるので、電子機器１０の嗜好性を高めることができる。
【００８１】
（２）本実施形態によれば、電子機器１０は、ブック状に連結された第一機器本体２１及び第二機器本体２２とは別にカバー部材３０を備える。したがって、このカバー部材３０がブックカバーのように見えることにより、電子機器１０の意匠性を向上させることができる。また、デザインや色等が異なる複数種類のカバー部材３０を用意し、ユーザに好みのカバー部材３０を選択してもらうことにより、電子機器１０の嗜好性をより向上させることができる。
【００８２】
（３）本実施形態によれば、可撓性を有するシート状のディスプレイ４０が採用されている。このディスプレイ４０は、図５に示されるように、第一機器本体２１の前面２５から第二機器本体２２の前面２５に亘って設けられている。したがって、第一機器本体２１及び第二機器本体２２が開状態にある場合には、ディスプレイ４０が第一機器本体２１の前面２５から第二機器本体２２の前面２５に亘って連続して配置される。これにより、例えば、第一機器本体２１の前面２５と第二機器本体２２の前面２５とに表示器がそれぞれ設けられる場合に比して、ディスプレイ４０に表示される画面の視認性を向上させることができる。
【００８３】
（４）本実施形態によれば、第一機器本体２１及び第二機器本体２２が開状態にある場合には、第一機器本体２１の開閉基端部２３と第二機器本体２２の開閉基端部２３とが矢印Ｗ方向に互いに突き合わされた状態になる。したがって、第一機器本体２１及び第二機器本体２２が矢印Ｗ方向に平面状に並ぶので、可撓性を有するシート状のディスプレイ４０を平面状に展開することができる。これにより、ディスプレイ４０に表示される画面の視認性をより一層向上させることができる。
【００８４】
（５）本実施形態によれば、図２に示されるように、第二機器本体２２の背面２６には、サブディスプレイ５０が設けられている（図１も参照）。このサブディスプレイ５０は、第一機器本体２１及び第二機器本体２２が閉状態にある場合には、カバー部材３０の他端側３２に対して露出される。したがって、第一機器本体２１及び第二機器本体２２が閉状態にある場合には、サブディスプレイ５０に必要最小限の情報を表示させることができるので、電子機器１０の利便性を向上させることができる。
【００８５】
（６）本実施形態によれば、図６に示されるように、第一機器本体２１及び第二機器本体２２が開状態にある場合には、カバー部材３０の他端側３２が第二機器本体２２の開閉先端部２４側に移動した状態となる。そして、サブディスプレイ５０は、カバー部材３０の他端側３２によって覆われる。したがって、第一機器本体２１及び第二機器本体２２が開状態である場合に、カバー部材３０の他端側３２によってサブディスプレイ５０を保護することができる。
【００８６】
つまり、第一機器本体２１及び第二機器本体２２が開状態にある場合には、メインのディスプレイ４０がユーザに面して配置され、サブディスプレイ５０は、ユーザとは反対側に面して配置される。この場合には、サブディスプレイ５０がユーザから見えないことにより、このサブディスプレイ５０に物がぶつかることでサブディスプレイ５０が故障することが懸念される。しかしながら、本実施形態によれば、サブディスプレイ５０は、カバー部材３０の他端側３２によって覆われるので、サブディスプレイ５０に物がぶつかることを防止することができる。
【００８７】
（７）本実施形態によれば、図１１に示されるように、第二機器本体２２には、付勢部材１００が設けられている。そして、第一機器本体２１及び第二機器本体２２が閉状態から開状態に遷移する場合には、付勢部材１００によって、カバー部材３０の他端側３２が、第二機器本体２２の開閉先端部２４側、すなわち、サブディスプレイ５０を覆う方向に付勢される。したがって、第一機器本体２１及び第二機器本体２２が開状態に遷移したときには、カバー部材３０の他端側３２を第二機器本体２２の開閉先端部２４側に的確に移動させることができる。これにより、カバー部材３０の他端側３２によってサブディスプレイ５０を適切に保護することができる。
【００８８】
また、第一機器本体２１及び第二機器本体２２が閉状態から開状態に遷移する場合には、カバー部材３０の他端側３２が第二機器本体２２の開閉先端部２４側に押されるので、第一機器本体２１及び第二機器本体２２の動きにカバー部材３０が追従する。これにより、カバー部材３０に皺や弛み等が生じることを抑制することができるので、電子機器１０の意匠性が損なわれることを防止することができる。
【００８９】
しかも、第一機器本体２１及び第二機器本体２２が閉状態から開状態に遷移する場合には、付勢部材１００の復元力がユーザの開操作に対するアシスト力となって作用する。これにより、第一機器本体２１及び第二機器本体２２を閉状態から開状態に円滑に遷移させることができるので、電子機器１０の利便性を向上させることができる。
【００９０】
一方、第一機器本体２１及び第二機器本体２２が開状態から閉状態に遷移する場合には、スライド板９３が第二機器本体２２の開閉基端部２３側へ移動することに伴って付勢部材１００が徐々に圧縮される。そして、この付勢部材１００の圧縮時の弾性力は、閉操作するユーザに抵抗力となって作用する。したがって、第一機器本体２１及び第二機器本体２２が勢い良く閉じたり、第一機器本体２１及び第二機器本体２２が不意に閉じられたりすることを防止することができるので、このことによっても、電子機器１０の利便性を向上させることができる。
【００９１】
（８）本実施形態によれば、カバー部材３０のカバー本体３３（図１７参照）には、第一機器本体２１の背面２６を覆う第一心材３４と、第二機器本体２２の背面２６を覆う第二心材３５とが設けられている。したがって、カバー本体３３における第一機器本体２１の背面２６を覆う部位と第二機器本体２２の背面２６を覆う部位とに皺や弛み等が生じることを抑制することができる。これにより、電子機器１０の意匠性が損なわれることを抑制することができる。
【００９２】
また、カバー部材３０のカバー本体３３には、第一心材３４と第二心材３５との間に第三心材３６が設けられている。したがって、第一機器本体２１及び第二機器本体２２を開閉する際に第一機器本体２１と第二機器本体２２との間においても、皺や弛み等が生じることを抑制することができる。しかも、この第三心材３６は、第一心材３４及び第二心材３５よりも曲げ剛性が低く設定されている。したがって、第一機器本体２１及び第二機器本体２２の開閉が第三心材３６によって阻害されることを抑制することができる。これにより、電子機器１０の利便性を確保することができる。
【００９３】
（９）本実施形態によれば、図１８に示されるように、第一機器本体２１及び第二機器本体２２の開閉基端部２３側には、閉塞部材１１０が設けられている。この閉塞部材１１０は、第一機器本体２１及び第二機器本体２２が開閉する間、第一機器本体２１及び第二機器本体２２の開閉基端部２３と第三カバー部３９との間に形成される隙間１２０を閉塞する。また、閉塞部材１１０は、第一機器本体２１及び第二機器本体２２が閉状態にある間、第一機器本体２１及び第二機器本体２２の開閉基端部２３と第三カバー部３９との間に形成される隙間１２０を閉塞する。
【００９４】
したがって、第一機器本体２１及び第二機器本体２２の開閉基端部２３と第三カバー部３９との間に形成される隙間１２０に異物が侵入することを抑制することができる。これにより、第一機器本体２１及び第二機器本体２２が開状態にされる場合に、第一機器本体２１及び第二機器本体２２の開閉基端部２３の間に異物が挟まって第一機器本体２１及び第二機器本体２２を平面状に開くことができなくなることを防止することができる。
【００９５】
しかも、カバー部材３０の他端側３２が第二機器本体２２の開閉先端部２４側に付勢されることにより、第一機器本体２１及び第二機器本体２２が開閉する際には、カバー部材３０の第三カバー部３９が閉塞部材１１０の円弧部１１１に密着する。したがって、第一機器本体２１及び第二機器本体２２の開閉基端部２３と第三カバー部３９との間に形成される隙間１２０に異物が侵入することをより効果的に抑制することができる。
【００９６】
（１０）本実施形態によれば、図２に示されるように、第一機器本体２１及び第二機器本体２２が閉状態にある場合には、第一機器本体２１の開閉基端部２３と第二機器本体２２の開閉基端部２３とが矢印Ｔ方向に互いに離間した状態になる。したがって、第一機器本体２１及び第二機器本体２２が閉状態とされ、ディスプレイ４０が二つ折りに折り畳まれる場合には、第一機器本体２１及び第二機器本体２２によってディスプレイ４０の曲げ部４１が潰されることを抑制できる。これにより、ディスプレイ４０の曲げ部４１が鋭角に屈曲せずに湾曲した状態となるので、ディスプレイ４０に局所的に応力が集中することを抑制することができる。この結果、ディスプレイ４０の故障を防止することができる。
【００９７】
（１１）本実施形態によれば、図７、図８に示されるように、第一機器本体２１及び第二機器本体２２には、前面２５と背面２６とを繋ぐ四つの側面２７が形成されており、この四つの側面２７には、各側面２７の長手方向に延びる複数の凹凸２８が形成されている。したがって、この複数の凹凸２８により本又は手帳のページの重なりを表現することができるので、電子機器１０の意匠性を向上させることができる。
【００９８】
また、側面２７に複数の凹凸２８が形成されることにより、この複数の凹凸２８が滑り止めとして機能する。これにより、第一機器本体２１及び第二機器本体２２を容易に開閉することができるので、電子機器１０の利便性を向上させることができる。
【００９９】
次に、本実施形態の変形例について説明する。
【０１００】
上記実施形態において、第二機器本体２２の背面２６には、「インターフェース部」の一例として、サブディスプレイ５０（図１参照）が設けられているが、例えば、カメラやスイッチなどのサブディスプレイ５０以外の構成が設けられていても良い。つまり、第二機器本体２２の背面２６に設けられる「インターフェース部」は、電子機器１０において保護することが要求されるものであれば、何でも良い。
【０１０１】
また、上記実施形態では、付勢部材１００（図１１参照）として、コイルバネが用いられているが、コイルバネ以外の弾性部材が用いられても良い。
【０１０２】
また、上記実施形態において、カバー部材３０には、好ましくは、第一心材３４、第二心材３５、及び、第三心材３６（図１７参照）が用いられるが、第一心材３４、第二心材３５、及び、第三心材３６が省かれても良い。
【０１０３】
また、上記実施形態において、第一機器本体２１及び第二機器本体２２の開閉基端部２３側には、好ましくは、閉塞部材１１０（図１８参照）が設けられるが、閉塞部材１１０が省かれても良い。
【０１０４】
また、上記実施形態において、電子機器１０は、好ましくは、シート状のディスプレイ４０（図５参照）を備えるが、第一機器本体２１の前面２５及び第二機器本体２２の前面２５にそれぞれ表示器を備えていても良い。
【０１０５】
また、上記実施形態において、電子機器１０は、好ましくは、本又は手帳を模した形状（図９、図１０参照）とされるが、例えば、折り畳み式の携帯電話等でも良い。
【０１０６】
また、上記実施形態において、第一機器本体２１及び第二機器本体２２が開状態にある場合には、第一機器本体２１の開閉基端部２３と第二機器本体２２の開閉基端部２３とが矢印Ｗ方向に互いに突き合わされて当接した状態になる（図５、図７参照）。しかしながら、第一機器本体２１の開閉基端部２３と第二機器本体２２の開閉基端部２３とは、矢印Ｗ方向に離間して対向しても良い。また、第一機器本体２１の開閉基端部２３と第二機器本体２２の開閉基端部２３とが矢印Ｗ方向に離間して対向する場合には、ヒンジ６０によって第一機器本体２１及び第二機器本体２２の開動作が規制されても良い。
【０１０７】
また、上記実施形態において、第一機器本体２１及び第二機器本体２２の各々の四つの側面２７には、いずれも本又は手帳のページの重なりを模した複数の凹凸２８（図７、図８参照）が形成されている。しかしながら、四つの側面２７のうち第一機器本体２１及び第二機器本体２２の開閉基端部２３側の側面２７は、カバー部材３０によって覆われて外部から見えにくいため、複数の凹凸２８が形成されていなくても良い。
【０１０８】
以上、本願の開示する技術の一実施形態について説明したが、本願の開示する技術は、上記に限定されるものでなく、上記以外にも、その主旨を逸脱しない範囲内において種々変形して実施可能であることは勿論である。
【０１０９】
なお、上述の本願の開示する技術の一実施形態に関し、更に以下の付記を開示する。
【０１１０】
（付記１）
それぞれ平盤状を成し、開閉可能に連結された第一機器本体及び第二機器本体と、
前記第一機器本体の背面から前記第二機器本体の背面に亘って設けられると共に、一端側が前記第一機器本体に固定されたカバー部材と、
前記第二機器本体の背面に設けられたインターフェース部と、
前記第一機器本体及び前記第二機器本体が閉状態から開状態に遷移することに伴って、前記インターフェース部が前記カバー部材の他端側に対して露出する状態から、前記インターフェース部が前記カバー部材の他端側に覆われた状態になるように、前記カバー部材の他端側を前記第二機器本体に対してスライド可能に支持するスライド機構と、
を備える電子機器。
（付記２）
前記カバー部材の他端側が前記インターフェース部を覆う方向に、前記カバー部材の他端側を前記第二機器本体に対して付勢する付勢部材をさらに備える、
付記１に記載の電子機器。
（付記３）
前記カバー部材は、
前記第一機器本体の背面から前記第二機器本体の背面に亘って設けられたカバー本体と、
前記カバー本体における前記第一機器本体の背面を覆う部位に設けられた第一心材と、
前記カバー本体における前記第二機器本体の背面を覆う部位に設けられた第二心材と、
前記カバー本体における前記第一心材と前記第二心材との間に設けられた第三心材とを有し、
前記第三心材は、前記第一心材及び前記第二心材よりも曲げ剛性が低い、
付記１又は付記２に記載の電子機器。
（付記４）
前記カバー部材は、
前記第一機器本体の背面を覆う第一カバー部と、
前記第二機器本体の背面を覆う第二カバー部と、
前記第一カバー部と前記第二カバー部との間に位置する第三カバー部とを有し、
前記第一機器本体及び前記第二機器本体の開閉基端部側には、閉塞部材が設けられ、
前記閉塞部材は、前記第一機器本体及び前記第二機器本体が開閉する間、及び、前記第一機器本体及び前記第二機器本体が閉状態にある間、前記第一機器本体及び前記第二機器本体の開閉基端部と、前記第三カバー部との間に形成される隙間を閉塞する、
付記１〜付記３のいずれか一項に記載の電子機器。
（付記５）
前記第一機器本体の前面から前記第二機器本体の前面に亘って設けられると共に、可撓性を有するシート状のディスプレイをさらに備える、
付記１〜付記４のいずれか一項に記載の電子機器。
（付記６）
前記インターフェース部は、サブディスプレイである、
付記５に記載の電子機器。
（付記７）
前記サブディスプレイは、前記第二機器本体の背面の開閉先端部側に配置されている、
付記６に記載の電子機器。
（付記８）
前記第一機器本体及び前記第二機器本体をブック状に連結するヒンジをさらに備える、
付記１〜付記７のいずれか一項に記載の電子機器。
（付記９）
前記第一機器本体及び前記第二機器本体は、互いの前面が向かい合う状態で閉状態とされると共に、互いの前面が同じ側を向く状態で開状態とされる、
付記８に記載の電子機器。
（付記１０）
前記第一機器本体及び前記第二機器本体には、前面と背面とを繋ぐ側面が形成され、
前記側面には、前記側面の長手方向に延びる複数の凹凸が形成されている、
付記８又は付記９に記載の電子機器。
（付記１１）
前記ヒンジは、前記第一機器本体及び前記第二機器本体が開状態にある場合に、前記第一機器本体の開閉基端部と前記第二機器本体の開閉基端部とを互いに突き合わせた状態にする、
付記８〜付記１０のいずれか一項に記載の電子機器。
（付記１２）
前記ヒンジは、前記第一機器本体及び前記第二機器本体が閉状態にある場合に、前記第一機器本体の開閉基端部と前記第二機器本体の開閉基端部とを互いに離間させた状態にする、
付記８〜付記１１のいずれか一項に記載の電子機器。
【符号の説明】
【０１１１】
１０  電子機器
２１  第一機器本体
２２  第二機器本体
２３  開閉基端部
２４  開閉先端部
２５  前面
２６  背面
２７  側面
２８  凹凸
３０  カバー部材
３１  一端側
３２  他端側
３３  カバー本体
３４  第一心材
３５  第二心材
３６  第三心材
３７  第一カバー部
３８  第二カバー部
３９  第三カバー部
４０  ディスプレイ
５０  サブディスプレイ（インターフェース部の一例）
６０  ヒンジ
９０  スライド機構
１００  付勢部材
１１０  閉塞部材
１２０  隙間
１３０  カメラ
【図１】
2018097420.tif 000003
【図２】
2018097420.tif 000004
【図３】
2018097420.tif 000005
【図４】
2018097420.tif 000006
【図５】
2018097420.tif 000007
【図６】
2018097420.tif 000008
【図７】
2018097420.tif 000009
【図８】
2018097420.tif 000010
【図９】
2018097420.tif 000011
【図１０】
2018097420.tif 000012
【図１１】
2018097420.tif 000013
【図１２】
2018097420.tif 000014
【図１３】
2018097420.tif 000015
【図１４】
2018097420.tif 000016
【図１５】
2018097420.tif 000017
【図１６】
2018097420.tif 000018
【図１７】
2018097420.tif 000019
【図１８】
2018097420.tif 000020